(57)【要約】【課題】  枠表示画像の明暗を簡易に強調することができる画像表示装置を提供すること。【解決手段】  枠部材１１８ｅは、光拡散性を有するので、プロジェクタ本体１４からの投影によって全体が均一で無彩色で所望の輝度とされる。つまり、枠部材１１８ｅの色を、輝度の異なる無彩色、例えば黒、灰、白等の間で連続的に変化させることができる。枠部材１１８ｅには、パネル本体１１８ｄすなわち映像表示エリアＥＡ１に表示される画像の平均輝度を反転した無彩色が表示される。これにより、パネル本体１１８ｄに表示される画像に関して、目の錯覚の一種である明暗対比を利用した明暗の強調が可能になる。つまり、パネル本体１１８ｄに表示される画像においてより明るい白やより暗い黒等を表現することができる。【選択図】  図３
2006322961.tif 000002
【特許請求の範囲】
【請求項１】
所定の有効領域を有し当該有効領域に画像を表示可能な画像表示部と、
前記画像表示部の前記有効領域の中央に設けた主表示領域に画像を表示させる際に、当該主表示領域のうち所定の対比領域に表示される画像の輝度を反転した所定輝度の色彩を、前記有効領域内のうち前記主表示領域の外側に設けた周辺表示領域に表示させる表示制御装置と
を備える画像表示装置。
【請求項２】
前記所定輝度の色彩は、無彩色であることを特徴とする請求項１記載の画像表示装置。
【請求項３】
前記所定輝度の色彩は、前記対比領域の平均輝度の反転値に対応する無彩色であることを特徴とする請求項２記載の画像表示装置。
【請求項４】
光源と、当該光源から射出された照明光を変調する光変調部と、当該光変調部を経て形成される像光を投射する投射光学系とを有するプロジェクタ本体をさらに備え、
前記画像表示部は、前記プロジェクタ本体からの像光が投影されるスクリーンであることを特徴とする請求項１から請求項３のいずれか一項記載の画像表示装置。
【請求項５】
前記スクリーンは、前記周辺表示領域に対応する縁部分を有しており、当該縁部分は、光透過性の材料で形成されていることを特徴とする請求項４記載の画像表示装置。
【請求項６】
前記スクリーンは、前記周辺表示領域に対応する縁部分を枠部材として有しており、当該枠部材は、光拡散性の材料で形成されていることを特徴とする請求項５記載の画像表示装置。
【請求項７】
前記周辺表示領域は、矩形輪郭を有し、前記周辺表示領域は、前記周辺表示領域の上下左右の４辺にそれぞれ接する４つの帯状領域であり、前記表示制御装置は、当該４つの帯状領域ごとに前記所定輝度の色彩を個別に設定して表示させることを特徴とする請求項１から請求項６のいずれか一項記載の画像表示装置。
【発明の詳細な説明】
【技術分野】
【０００１】
本発明は、リアプロジェクション装置その他の画像表示装置に関する。
【背景技術】
【０００２】
従来の画像表示装置として、アスペクト比が１６：９のワイド画面に、アスペクト比が４：３の画像を左右部分を黒くしたサイドパネル形式で表示する場合がある。このような場合、左右の無画像部の存在が目に付き、画像鑑賞の妨げとなる傾向がある。このような無画像部を目立たなくする技術として、ワイド画面のサイドパネル部（すなわち無画像部）に任意のカラーを表示させるアスペクト比変換装置が存在する（特許文献１参照）。このアスペクト比変換装置では、ディスプレイのフレーム部のカラーに応じてサイドパネル部に表示するカラーを設定できるようになっている。
【特許文献１】特開２００３−８７８１９号公報
【発明の開示】
【発明が解決しようとする課題】
【０００３】
しかし、以上の画像表示装置は、無画像部を目立たないように着色するためのものであり、表示画像の明暗を強調することができなかった。
【０００４】
そこで、本発明は、表示画像の明暗を簡易に強調することができる画像表示装置を提供することを目的とする。
【課題を解決するための手段】
【０００５】
上記課題を解決するため、本発明に係る画像表示装置は、（ａ）所定の有効領域を有し当該有効領域に画像を表示可能な画像表示部と、（ｂ）画像表示部の有効領域の中央に設けた主表示領域に画像を表示させる際に、当該主表示領域のうち所定の対比領域に表示される画像の輝度を反転した所定輝度の色彩を、有効領域内のうち主表示領域の外側に設けた周辺表示領域に表示させる表示制御装置とを備える。
【０００６】
上記画像表示装置では、表示制御装置が、主表示領域の対比領域に表示される画像の輝度を反転した所定輝度の色彩を、主表示領域の外側に設けた周辺表示領域に表示させるので、周辺表示領域との明度対比効果により、主表示領域の画像の明暗を強調することができる。つまり、目の錯覚の一種である明暗対比を利用することで、表示画像においてより明るい白やより暗い黒等を表現・強調することができる。
【０００７】
本発明の具体的態様では、上記画像表示装置において、所定輝度の色彩が、無彩色である。この場合、周辺表示領域が比較的地味な表示となり強調されることを防止できる。なお、画像表示部の枠が有彩色である場合、所定輝度の色彩を枠の色相や彩度に合致させることもできる。
【０００８】
本発明の別の具体的態様では、所定輝度の色彩が、対比領域の平均輝度の反転値に対応する無彩色である。この場合、対比領域全体の状態とバランスした無彩色を周辺表示領域に表示することができ、明暗対比効果を適切なものとすることができる。
【０００９】
本発明の別の具体的態様では、光源と、当該光源から射出された照明光を変調する光変調部と、当該光変調部を経て形成される像光を投射する投射光学系とを有するプロジェクタ本体をさらに備え、画像表示部が、プロジェクタ本体からの像光が投影されるスクリーンである。この場合、画像表示装置として例えば背面投写型のプロジェクタを提供することができ、かかるプロジェクタの明暗の表現範囲を広げることができる。
【００１０】
本発明の別の具体的態様では、スクリーンが、周辺表示領域に対応する縁部分を有しており、当該縁部分が、光透過性の材料で形成されている。この場合、スクリーンの縁部分を利用して明暗対比効果による明暗差の表現向上を達成することができる。
【００１１】
本発明の別の具体的態様では、スクリーンが、周辺表示領域に対応する縁部分を枠部材として有しており、当該枠部材が、光拡散性の材料で形成されている。この場合、光拡散性の枠部材によってスクリーン本体である主表示領域との区別が明示されるので、周辺表示領域の存在が自然なものとなる。
【００１２】
本発明の別の具体的態様では、周辺表示領域が、矩形輪郭を有し、周辺表示領域が、周辺表示領域の上下左右の４辺にそれぞれ接する４つの帯状領域であり、表示制御装置が、当該４つの帯状領域ごとに所定輝度の色彩を個別に設定して表示させる。この場合、画像表示部の上下左右の各辺の輝度を個別に調節することができ、主表示領域の画像の輝度分布に応じた明暗強調が可能になる。
【発明を実施するための最良の形態】
【００１３】
〔第１実施形態〕
図１は、本発明の第１実施形態に係るリアプロジェクション装置の全体構造を説明する側面図である。このリアプロジェクション装置１０は、動画や静止画を表示するための画像表示装置であり、筐体であるケース１２の底部にプロジェクタ本体１４を備え、ケース１２内の背面側上部に反射ミラー１６を備え、ケース１２前面に透過型スクリーン部材１８を備える。プロジェクタ本体１４から射出された像光は、光軸ＯＡ１に略沿って後方斜め上方に進行し、反射ミラー１６で光軸ＯＡ２方向に略沿って前面側に折り曲げられて、透過型スクリーン部材１８に入射する。
【００１４】
プロジェクタ本体１４は、光源光を発生する光源装置２１と、光源装置２１からの光源光をＲＧＢの３色に分割する色分割光学系２３と、色分割光学系２３から射出された各色の照明光によってそれぞれ照明される３つの液晶ライトバルブからなる光変調部２５と、光変調部２５からの各色の像光を合成するクロスダイクロイックプリズムである光合成光学系２７と、光合成光学系２７を経た像光を透過型スクリーン部材１８上に投射するための投射光学系である投射レンズ２９とを備える。このプロジェクタ本体１４は、不図示の手段によってケース１２底部に位置決めして固定されている。
【００１５】
反射ミラー１６は、台形の平面ミラーであり、不図示の手段によってケース１２内に位置決めして固定されている。
【００１６】
透過型スクリーン部材１８は、画像表示部であり、背面側にフレネルレンズシート１８ａ、中間にレンチキュラレンズシート１８ｂ、前面側にフロントパネル１８ｃを設けた積層体である。この透過型スクリーン部材１８は、周囲の支持枠部３２に埋め込まれた状態で固定されている。
【００１７】
図２は、図１のリアプロジェクション装置１０の前面上部を説明する図である。図示のように、支持枠部３２は、四角形の４辺に対応する帯状の枠体であり、枠内の開口ＡＰ越しに透過型スクリーン部材１８の有効領域ＥＡを観察することができる。この有効領域ＥＡは、中央に設けた主表示領域である映像表示エリアＥＡ１と、縁部分に設けた周辺表示領域であるオーバースキャンエリアＥＡ２とからなる。映像表示エリアＥＡ１は、プロジェクタ本体１４からの像光のうち画像部分が投影される部分であり、オーバースキャンエリアＥＡ２は、プロジェクタ本体１４からの像光のうち枠部分が投影される部分である。このオーバースキャンエリアＥＡ２には、所定の対比領域でもある映像表示エリアＥＡ１に表示される画像の輝度をリアルタイムで反転した所定輝度の色彩（具体的には、灰色、白色、黒色等の無彩色）が投影される。
【００１８】
図３は、透過型スクリーン部材１８上端の断面構造を説明する拡大図である。フロントパネル１８ｃは、図２に示す映像表示エリアＥＡ１に対応するパネル本体１１８ｄと、図２に示すオーバースキャンエリアＥＡ２に対応する枠部材１１８ｅとを一体化したものである。前者のパネル本体１１８ｄは、透明な材料（例えば透明樹脂材）で形成されており、後者の枠部材１１８ｅは、光拡散性の材料（例えば光拡散樹脂）で形成されている。なお、パネル本体１１８ｄと枠部材１１８ｅとは、別体とすることができ、図１の支持枠部３２に個別に固定することができる。
【００１９】
なお、枠部材１１８ｅは、パネル本体１１８ｄ周囲の縁部分として例えば１０ｍｍ程度の幅を有する帯状の部分となっている。また、フロントパネル１８ｃの背後に固定されるフレネルレンズシート１８ａや、レンチキュラレンズシート１８ｂは、パネル本体１１８ｄよりも若干大きくなっており、これらの縁部１１８ｆは、パネル本体１１８ｄ周囲の枠部材１１８ｅ側に数ミリ程度はみ出した状態となっている。縁部１１８ｆは、図１で説明したプロジェクタ本体１４からの像光（枠部分）が背後から入射する領域であり、光変調部２５を構成する各色の液晶ライトバルブに設けた表示画素領域における最外周の数画素の表示に対応している。縁部１１８ｆに入射した枠部分の像光は、枠部材１１８ｅを背後から適当な輝度（この場合、色バランスとしては白色光）で照明する。枠部材１１８ｅは、光拡散性を有するので、プロジェクタ本体１４からの投影すなわち照明によって全体が均一、無彩色、かつ、所望の輝度とされる。つまり、枠部材１１８ｅの色を、外観的には、輝度の異なる無彩色、例えば黒、灰、白等の間で連続的に変化させることができる。
【００２０】
以上の枠部材１１８ｅには、具体的な動作機構については後述するが、パネル本体１１８ｄすなわち映像表示エリアＥＡ１に表示される画像の平均輝度を反転した無彩色が表示される。これにより、パネル本体１１８ｄに表示される画像に関して、目の錯覚の一種である明暗対比を利用した明暗の強調、換言すれば周囲から視覚的に浮き立たせる表示が可能になる。つまり、パネル本体１１８ｄに表示される画像においてより明るい白やより暗い黒等を表現し演出することができる。
【００２１】
以上の説明では、各シート１８ａ，１８ｂのサイズを枠部材１１８ｅよりも小さいとしたが、各シート１８ａ，１８ｂの外形を枠部材１１８ｅ外形と一致させることもできる。また、枠部材１１８ｅが光拡散性の材料で形成されるとしたが、各シート１８ａ，１８ｂと枠部材１１８ｅとのサイズが一致する場合、枠部材１１８ｅは、透明材料とすることができる。また、枠部材１１８ｅは、全体を透明材料として裏面をマット面とすることもできる。
【００２２】
図４は、図１のリアプロジェクション装置１０に内蔵されている信号処理回路の一部を概念的に説明するブロック図である。この信号処理回路は、ビデオ信号等の外部画像信号が入力される画像処理部５１と、画像処理部５１から出力された画像信号に無彩色の擬似枠を重畳する枠重畳部５２と、図１等に示す透過型スクリーン部材１８に表示すべき像光を形成する表示部５５と、これらの動作を統括的に制御する制御部５７とを備える。これらのうち、画像処理部５１、枠重畳部５２、及び制御部５７は、リアプロジェクション装置１０に設けた透過型スクリーン部材１８に投射すべき画像の状態を調整する表示制御装置となっている。
【００２３】
以上の信号処理回路のうち、画像処理部５１は、外部から入力された画像信号の平均輝度に関する情報を制御部５７に出力する。また、画像処理部５１は、入力された画像信号に対して、画像全体が図２に示す透過型スクリーン部材１８の映像表示エリアＥＡ１にぴったり収まるような処理を施す。この結果、画像信号に対応する画像が映像表示エリアＥＡ１全面に歪や欠落なく表示される。
【００２４】
枠重畳部５２は、外部からの画像信号を表示すべき映像表示エリアＥＡ１に対して上下左右に設けたオーバースキャンエリアＥＡ２に、映像表示エリアＥＡ１に表示される画像の平均輝度を反転した無彩色を表示させるような信号処理を行う。枠重畳部５２で行われる以上のような処理を「枠重畳処理」と呼ぶものとする。
【００２５】
枠重畳処理について具体的に説明すると、枠重畳部５２は、例えば画面上端から数画素分（オーバースキャンエリアＥＡ２の上辺部分）の描画に対応するタイミングで上記無彩色に対応する擬似枠信号を生成し表示部５５に出力する。また、枠重畳部５２は、中間の映像表示エリアＥＡ１を表示する画素列の描画に際して、各画素列の最初と最後の数画素分（オーバースキャンエリアＥＡ２の左辺及び右辺部分）のタイミングで上記無彩色に対応する擬似枠信号を生成し表示部５５に出力するとともに、最初と最後を除いた全体では、画像処理部５１からの画像信号に対応する駆動信号をそのまま表示部５５に転送する。さらに、枠重畳部５２は、画面下端から数画素分（オーバースキャンエリアＥＡ２の下辺部分）の描画に対応するタイミングで上記無彩色に対応する擬似枠信号を生成し表示部５５に出力する。
【００２６】
なお、以上の枠重畳処理等において、透過型スクリーン部材１８の有効領域ＥＡに対応するフレームメモリを信号処理回路内に設けることで画像処理が簡易・迅速となる。この場合、フレームメモリのうち、上下左右の所定行数の画素分に、上記無彩色に対応する画素信号を書き込んで保持することになる。
【００２７】
表示部５５は、光変調部２５を構成する３つの液晶ライトバルブ２５ａ，２５ｂ，２５ｃを備えてなり、各液晶ライトバルブ２５ａ，２５ｂ，２５ｃに含まれる各色の液晶表示パネルに対応して駆動回路等を個別に備える。これらの駆動回路は、枠重畳部５２を経た駆動信号に応じて動作する。
【００２８】
制御部５７は、画像処理部５１から画像信号の平均輝度に関する情報を受け取って、この平均輝度を反転した反転信号を形成する。この反転信号は、平均輝度の符号を反転して規格化したものとすることができる。具体的には、各液晶ライトバルブ２５ａ，２５ｂ，２５ｃによって表示可能な輝度範囲をＩｍｉｎ〜Ｉｍａｘとし、表示すべき画像全体の輝度平均値をαとしたとき、反転信号の値βは、一例として
β＝（Ｉｍａｘ＋Ｉｍｉｎ）−α
で与えられる。例えば、Ｉｍｉｎ＝０，Ｉｍａｘ＝２５５（８ビットの階調）であるとき、反転値β＝２５５−αで与えられる。なお、以上において、輝度平均値αは、赤、緑、青の各色の輝度に関しても平均をとったものとなっている。
【００２９】
平均輝度の反転は、上記の例に限られるものではない。例えば画像処理部５１で画像信号の平均輝度の逆数を読み取って規格化することも可能である。また、平均輝度の反転に際して最大値や最小値を変更することができ、反転に際して非線形な補正を施すこともできる。
【００３０】
図５は、図４の信号処理回路で行われる枠重畳処理に関連する動作を説明するフローチャートである。
【００３１】
最初に、画像処理部５１において、１フィールド分の輝度信号をフレームメモリ（例えば画像処理部５１や枠重畳部５２に付随して設けられる）に取り込んで保存する（ステップＳ１１）。次に、画像処理部５１において、取り込んだ画像信号の輝度平均値αを算出する（ステップＳ１２）。次に、制御部５７は、受け取った輝度平均値αから反転値β＝２５５−αを算出する（ステップＳ１３）。次に、枠重畳部５２は、フレームメモリのうち赤（Ｒ）信号のオーバースキャンエリア（周辺枠）を反転値βに書き換えて赤色の表示データを作成する（ステップＳ１４）。また、枠重畳部５２は、フレームメモリのうち緑（Ｇ）信号のオーバースキャンエリア（周辺枠）を反転値βに書き換えて緑色の表示データを作成する（ステップＳ１５）。また、枠重畳部５２は、フレームメモリのうち青（Ｂ）信号のオーバースキャンエリア（周辺枠）を反転値βに書き換えて青色の表示データを作成する（ステップＳ１６）。次に、枠重畳部５２は、赤、緑、青についてオーバースキャンエリアの書換を行ったフレームメモリの出力に基づいて、各色の液晶ライトバルブ２５ａ，２５ｂ，２５ｃを駆動する（ステップＳ１７）。この結果、液晶ライトバルブ２５ａ，２５ｂ，２５ｃが有効領域ＥＡ全体に対応する表示を行う。つまり、透過型スクリーン部材１８の有効領域ＥＡのうち映像表示エリアＥＡ１には、外部画像信号がそのまま表示され、透過型スクリーン部材１８のオーバースキャンエリアＥＡ２には、外部画像信号の輝度反転値βに対応するグレイ表示が行われる（ステップＳ１８）。
【００３２】
〔第２実施形態〕
以下、第２実施形態に係るリアプロジェクション装置について説明する。本実施形態のリアプロジェクション装置は、図１等に示す第１実施形態に係るリアプロジェクション装置１０を変形したものであり、基本的な構造は、第１実施形態の装置と同様であるものとする。
【００３３】
図６は、図２に対応するもので、第２実施形態に係るリアプロジェクション装置の前面上部を説明する図である。透過型スクリーン部材１８の有効領域ＥＡのうち、オーバースキャンエリアＥＡ２’は、上側部分エリアＥ２１、下側部分エリアＥ２２、右側部分エリアＥＡ２３、及び左側部分エリアＥＡ２４の４つに分かれる。これらの部分エリアＥＡ２１〜ＥＡ２４は、中央の映像表示エリアＥＡ１を全体として上下左右から囲む線分若しくは辺状の帯状領域となっている。
【００３４】
図７は、 図６に示す映像表示エリアＥＡ１を４つに分類したものである。つまり、映像表示エリアＥＡ１は、４つの対比領域として、上側エリアＴＡ（図７（ａ）参照）、下側エリアＢＡ（図７（ｂ）参照）、右側エリアＲＡ（図７（ｃ）参照）、及び左側エリアＬＡ（図７（ｄ）参照）が設けられている。ここで、上側エリアＴＡは、オーバースキャンエリアＥＡ２’のうち上側部分エリアＥ２１に上端で接しており、下側エリアＢＡは、下側部分エリアＥ２２に下端で接しており、右側エリアＲＡは、右側部分エリアＥ２３に右端で接しており、左側エリアＬＡは、左側部分エリアＥ２４に左端で接している。このように映像表示エリアＥＡ１を４つのエリアＴＡ，ＢＡ，ＲＡ，ＬＡに分類することにより、各エリアＴＡ，ＢＡ，ＲＡ，ＬＡに隣接する部分エリアＥＡ２１〜ＥＡ２４に対して、各エリアＴＡ，ＢＡ，ＲＡ，ＬＡの輝度を反転した輝度反転値β１〜β４を表示させることができる。この場合、オーバースキャンエリアＥＡ２’を構成する部分エリアＥＡ２１〜ＥＡ２４の輝度を個別に調節することができ、表示エリアＥＡ１の輝度分布をより正確に反映したオーバースキャンエリアＥＡ２’の輝度強調が可能になる。
【００３５】
図８及び図９は、第２実施形態のリアプロジェクション装置で行われる動作を概念的に説明するフローチャートである。
【００３６】
最初に、図４に示すと同様の画像処理部５１において、１フィールド分の輝度信号をフレームメモリに取り込んで保存する（ステップＳ２１）。次に、画像処理部５１において、取り込んだ画像信号のうち上側エリアＴＡの輝度平均値α１を算出する（ステップＳ２２）。次に、画像処理部５１において、同画像信号のうち下側エリアＢＡの輝度平均値α２を算出する（ステップＳ２３）。次に、画像処理部５１において、同画像信号のうち右側エリアＲＡの輝度平均値α３を算出する（ステップＳ２４）。次に、画像処理部５１において、同画像信号のうち左側エリアＬＡの輝度平均値α４を算出する（ステップＳ２５）。次に、制御部５７は、受け取った輝度平均値α１〜α４から反転値β１〜β４
βｎ＝２５５−αｎ
（ここで、ｎ＝１〜４）
を算出する（ステップＳ２６）。次に、枠重畳部５２は、フレームメモリのうち赤（Ｒ）信号に関して部分エリアＥＡ２１〜ＥＡ２４に相当する部分を反転値β１〜β４に書き換えて赤色の表示データを作成する（ステップＳ３２）。また、枠重畳部５２は、フレームメモリのうち緑（Ｇ）信号に関して部分エリアＥＡ２１〜ＥＡ２４に相当する部分を反転値β１〜β４に書き換えて緑色の表示データを作成する（ステップＳ３３）。また、枠重畳部５２は、フレームメモリのうち青（Ｂ）信号に関して部分エリアＥＡ２１〜ＥＡ２４に相当する部分を反転値β１〜β４に書き換えて青色の表示データを作成する（ステップＳ３４）。次に、枠重畳部５２は、赤、緑、及び青についてオーバースキャンエリアＥＡ２’の書換を行ったフレームメモリの出力に基づいて各色の液晶ライトバルブ２５ａ，２５ｂ，２５ｃを駆動する（ステップＳ３５）。この結果、液晶ライトバルブ２５ａ，２５ｂ，２５ｃが有効領域ＥＡに対応する表示を行う。つまり、透過型スクリーン部材１８の有効領域ＥＡのうち映像表示エリアＥＡ１には、外部画像信号がそのまま表示され、透過型スクリーン部材１８のオーバースキャンエリアＥＡ２’には、外部画像信号の輝度反転値β１〜β４に対応するグレイ表示が行われる（ステップＳ３６）。
【００３７】
以上実施形態に即して本発明を説明したが、本発明は、上記実施形態に限定されるものではない。例えば、上記技術は、リアプロジェクション装置１０だけでなく、液晶表示装置（ＬＣＤ）、プラズマ表示装置（ＰＤＰ）等の各種平面ディスプレイ（ＦＰＤ）に適用することができる。つまり、平面ディスプレイの画像表示部（表示エリアＥＡ１に相当）と周囲の支持枠部との間に、表示画像を反転したグレイ表示を行う周辺表示領域を設けることができ、白や黒を強調することができる。
【００３８】
また、オーバースキャンエリアＥＡ２，ＥＡ２’には、グレイ（灰色）等の無彩色に限らず、有彩色を表示することができる。
【図面の簡単な説明】
【００３９】
【図１】第１実施形態に係るリアプロジェクション装置の側面図である。
【図２】図１の装置の前面上部を示す。
【図３】透過型スクリーン部材の断面構造を説明する拡大図である。
【図４】図１の装置に内蔵されている信号処理回路のブロック図である。
【図５】リアプロジェクション装置の動作を説明するフローチャートである。
【図６】第２実施形態に係るリアプロジェクション装置の前面上部を示す。
【図７】（ａ）〜（ｄ）は映像表示エリアの分類すなわち対比領域を説明する図である。
【図８】第２実施形態の装置の動作を説明するフローチャートの前半である。
【図９】第２実施形態の装置の動作を説明するフローチャートの後半である。
【符号の説明】
【００４０】
１０…リアプロジェクション装置、  １４…プロジェクタ本体、  １６…反射ミラー、  １８…透過型スクリーン部材、  １８ａ…フレネルレンズシート、  １８ｂ…レンチキュラレンズシート、  １８ｃ…フロントパネル、  ２１…光源装置、  ２５…光変調部、  ２５ａ，２５ｂ，２５ｃ…液晶ライトバルブ、  ２９…投射レンズ、  ３２…支持枠部、  ５１…画像処理部、  ５２…枠重畳部、  ５５…表示部、  ５７…制御部、  １１８ｄ…パネル本体、  １１８ｅ…枠部材、  ＥＡ…有効領域、  ＥＡ１…映像表示エリア、  ＥＡ２，ＥＡ２’…オーバースキャンエリア、  ＥＡ２１〜ＥＡ２４…部分エリア、  ＲＡ…右側エリア、  ＬＡ…左側エリア、  ＴＡ…上側エリア、  ＢＡ…下側エリア
【図１】
2006322961.tif 000003
【図２】
2006322961.tif 000004
【図３】
2006322961.tif 000005
【図４】
2006322961.tif 000006
【図５】
2006322961.tif 000007
【図６】
2006322961.tif 000008
【図７】
2006322961.tif 000009
【図８】
2006322961.tif 000010
【図９】
2006322961.tif 000011